(57)【特許請求の範囲】
【請求項１】
液密シールを完成させるために嵌め合せ部材同士の間で締付けられる種類の多層複合ガスケットであって、
互いに向い合う側を有する中心コア層と、
前記中心コアの両側に配置された１対の穿孔コア層とを備え、前記穿孔コアの各々は、前記中心コアの方を向く近位面および前記中心コアと反対の方を向く遠位面を有し、前記ガスケットはさらに、
１対の外側グラファイト層を備え、前記グラファイト層の各々は、前記穿孔コアのうちのそれぞれ１つの前記遠位面に機械的に噛み合っており、前記ガスケットはさらに、
１対の紙層を備え、前記紙層の各々は、前記穿孔コアのうちのそれぞれ１つと前記中心コアとの間に位置し、前記紙層の各々は、それぞれの前記穿孔コアの前記近位面に機械的に噛み合っており、かつ前記中心コアに取付けられているため、前記紙層は、前記ガスケットの使用時に前記穿孔コアと前記中心コアとの相対的な動的すべりを促進し、
前記穿孔コアの各々は、自身の前記遠位面から延在する複数の外向きタング、および前記近位面から延在する複数の内向きタングを含む、ガスケット。
【請求項２】
前記１対の穿孔コアは互いに実質的に同一である、請求項１に記載のガスケット。
【請求項３】
前記紙層は、全体的に等しく均一な厚みを有し、前記中心コアに対する前記内向きタングの直交突起部は、前記紙層の前記厚みよりも小さいか前記厚みと等しい、請求項１に記載のガスケット。
【請求項４】
前記紙層の前記厚みは、前記グラファイト層の前記厚みよりも小さい、請求項３に記載のガスケット。
【請求項５】
前記紙層の各々と前記中心コアとの間に位置する接着剤をさらに備える、請求項１に記載のガスケット。
【請求項６】
前記中心コアは、実質的に金属製の材料から作製される、請求項１に記載のガスケット。
【請求項７】
前記穿孔コアは、実質的に金属製の材料から作製される、請求項１に記載のガスケット。
【請求項８】
液密シールを完成させるために嵌め合せ部材同士の間で締付けられる種類の多層複合ガスケットであって、
互いに向い合う側を有する金属中心コア層と、
前記中心コアの両側に配置された１対の実質的に同一の穿孔金属コア層とを備え、前記穿孔コアの各々は、前記中心コアの方を向く近位面および前記中心コアと反対の方を向く遠位面を有し、前記穿孔コアの各々は、前記遠位面から延在する複数の外向きタングおよび前記近位面から延在する複数の内向きタングを含み、前記ガスケットはさらに、
全体的に等しく均一の厚みを有する１対の外側グラファイト層を備え、前記グラファイト層の各々は、前記穿孔コアのうちのそれぞれ１つの前記遠位面に機械的に噛み合っており、前記ガスケットはさらに、
前記グラファイト層の前記厚みよりも小さい全体的に等しく均一な厚みを有する１対の紙層を備え、前記紙層の各々は、前記穿孔コアのうちのそれぞれ１つと前記中心コアとの間に位置しており、前記紙層の各々は、それぞれの前記穿孔コアの前記近位面に機械的に噛み合っており、かつ前記中心コアに接着剤で接合される、ガスケット。
【請求項９】
液密シールを完成させるために嵌め合せ部材同士の間で締付けられる種類の多層複合ガスケットを形成するための方法であって、
ａ）  第１のプリフォームシートを製作するステップを備え、当該ステップは、
１）  近位面および遠位面を有し、前記遠位面から延在する複数の外向きタングおよび近位面から延在する複数の内向きタングを有する、穿孔コア層を設けるステップと、
２）  外側グラファイト層を設けるステップと、
３）  グラファイト層を穿孔コアの遠位面に機械的に噛み合せるステップと、
４）  紙層を設けるステップと、
５）  紙層を穿孔コアの近位面に機械的に噛み合せるステップとを含み、前記方法はさらに、
ｂ）  前記ステップａ）１）〜ａ）５）に従って第２のプリフォームシートを製作するステップと、
ｃ）  互いに向い合う側を有する中心コア層を設けるステップと、
ｄ）  第１のプリフォームシートの紙層を中心コアの一方側に接合させるステップと、
ｅ）  第２のプリフォームシートの紙層を中心コアの反対側に接合させることによって、第１のプリフォームシートおよび第２のプリフォームシートの紙層とともに、中心コアを第１のプリフォームシートと第２のプリフォームシートとの間に挟むステップとを備える、方法。
【請求項１０】
前記第１および第２のプリフォームシートおよび前記中心コアを、ローラセットによって最終の厚みおよび／または密度に圧縮するステップをさらに備える、請求項９に記載の方法。
【請求項１１】
グラファイト層を機械的に噛み合せる前記ステップは、外向きタングをグラファイト層に強制的に嵌めるステップを含む、請求項９に記載の方法。
【請求項１２】
紙層を機械的に噛み合せる前記ステップは、内向きタングを紙層に強制的に嵌めるステップを含む、請求項９に記載の方法。
【請求項１３】
第１および第２のプリフォームシートの紙層を接合させる前記ステップは、中心コアおよび紙層の少なくとも一方に接着剤を塗布するステップを含む、請求項９に記載の方法。
【請求項１４】
第１および第２のプリフォームシートを製作する前記ステップは、圧延圧縮ステップを含む、請求項９に記載の方法。
【発明の詳細な説明】
【技術分野】
【０００１】
関連出願との相互参照
本願は、２００９年２月１３日に出願された仮特許出願番号第６１／１５２，４５６号の優先権を主張し、この仮特許出願番号第６１／１５２，４５６号は、全開示内容が引用によって本明細書に援用され根拠となる。
【０００２】
発明の背景
発明の分野
本発明は、多層複合ガスケットおよびガスケットの製作方法に関する。
【背景技術】
【０００３】
関連技術
ガスケットは、２つの嵌め合せ部材同士の間の液密シールを完成させるために多くの用途で用いられる。ガスケットは典型的に、嵌め合せ部材同士の間で締付けられ、そこで圧縮されて保持される。内燃機関の場合、多くのガスケットがさまざまな方面で用いられる。一例として、ヘッドガスケットは、エンジンのシリンダブロックとシリンダヘッドとの間に位置決めされて、エンジンの使用時に燃焼室からの燃焼ガス漏れを防止するガスケットである。しかし、この用途におけるヘッドガスケットは燃焼室だけでなく、シリンダブロックとヘッドとの間に延在するさまざまな冷却液および潤滑流路も封止する。
【０００４】
先行技術のヘッドガスケットの例が図１に示されており、４つの並んだ燃焼室の外周を表す、４つの大きな全体的に円形の開口部を有する。複数のより小さな開口部が、冷却液や潤滑を導くため、および締付圧を確定するために用いるボルトを収容するために、ガスケットの周りに分散されて示されている。この例示的なヘッドガスケットなどのガスケットは、すべてが異なる温度、異なる圧力で動作し、かつ異なる化学組成を有する高温／高圧ガス、水またはエチレングリコール系冷却液、潤滑油などを含むさまざまな流体媒体に対して液密シールを維持可能でなければならないことが容易に明らかになるであろう。
【０００５】
したがって、広範なデューティ範囲にわたって満足に機能するようにガスケットを設計することは非常に困難であり得る。先行技術ではこれらの目的のために多数のガスケットスタイルおよび構成が開発されており、それらのいくつかは一定の用途に適している。先行技術において公知の１つのそのようなガスケット構造は、図２および図３に示されるような多層複合ガスケットからなり、これは全体的に、１９９５年１１月２１日にStaab等に発行された米国特許第５，４６８，００３号に記載されたガスケットに対応し、当該特許の開示内容は引用によって本明細書に援用される。当該特許には、高性能ディーゼルエンジン用途に主に用いられるシリンダヘッドガスケットが記載されている。このガスケットは５つの層からなり、これらの中には、両側に側面穿孔鋼層が接合された鋼中心層が含まれる。穿孔鋼層は、外側グラファイト層と機械的な噛み合せ係合を確立する外向延在タングを有する。中心層、２つの穿孔層、および２つのグラファイト層からなるこれら５つの層は、ガスケットアセンブリの本体を含む。燃焼開口部は、薄い板金ファイアリングホルダが装着されたファイアリングで縁取られており、ファイアリングホルダは多層複合ガスケット本体と直接係合する。
【発明の概要】
【発明が解決しようとする課題】
【０００６】
図２および図３に示される先行技術のガスケット構造は一定の用途に適度に効果的であることが知られているが、この構造には、性能を高めるために改善可能な側面がある。特に、固体のコア中心層は、燃焼圧に耐えるために、接着化合物によって２つの対向する穿孔鋼層に直接取付けられる。外側グラファイト対向層は穿孔金属層に機械的に接合されて、シリンダヘッドおよびブロックの締付面に対する流体シールを提供する（図２に簡略化して示される）。剛性の接着糊継手は、穿孔層と中心金属層との間に封止機能を提供する。
【０００７】
使用時、エンジン内のガスケットは、ヘッドおよびブロックが異なる速度で伸縮したり、またはその他の方法で動力によって互いに動いたりする際にガスケットに剪断応力を与える燃焼および加熱サイクルの力から、異なる荷重を受ける。したがって、ガスケットの本体内に剪断荷重が作り出され、これによって穿孔金属層と中心金属コアとの間の剛性糊層が弱まるか、場合によって破壊され得る。ガスケットの本体が内部で耐えた剪断荷重によって剛性糊層が弱まったり、場合によっては破壊され得ることによって、ガスケット本体を通る流体に対して漏れ経路が与えられ得ることが観察された。糊層が剪断荷重下で破壊しなければ、剪断荷重はグラファイト層によってほぼ全体が支えられ、これらの層に過度の剪断応力がかかるため、時間とともに、嵌め合せ部材に対する良好なシールを維持するこれらの層の能力が損なわれ得る。したがって、図２および図３に示されるような先行技術のガスケット構造は、過度の剪断応力に起因する故障モードのため、態様寿命が短くなってしまう。
【０００８】
したがって、嵌め合せ部材同士の間の液密シールを完成させるために当該部材同士の間で締付けられる種類の、改良された多層複合ガスケット構造が当該技術において求められている。
【課題を解決するための手段】
【０００９】
発明の要約
本発明によると、嵌め合せ部材同士の間に液密シールを確立することができるように嵌め合せ部材同士の間で締付けられる種類の多層複合ガスケットが提供される。ガスケットは、互いに向い合う側を有する中心コア層を含む。中心コアの両側に、１対の穿孔コア層が配置される。穿孔コアの各々は、中心コアの方を向く近位面および中心コアと反対の方を向く遠位面を有する。１対の外側グラファイト層が設けられる。グラファイト層の各々は、穿孔コアのうちのそれぞれ１つの遠位面に機械的に噛み合っている。１対の紙層が設けられる。紙層の各々は、穿孔コアのうちの１つと中心コアとの間に位置する。紙層の各々は、そのそれぞれの穿孔コアの近位面に機械的に噛み合っており、かつ中心コア層に取付けられている。
【００１０】
本発明の技術に従って組立てたガスケットによって、嵌め合せ部材同士の間の相対的な動きに起因する剪断荷重の蓄積が減少する。それぞれの穿孔コアと中心コアとの間に位置する紙層は、中心コアに対する穿孔コアのわずかな横方向の転位を可能にするすべり面として機能し得、これによって、ガスケットの封止機能を損なわずに使用時の剪断荷重を緩和することができる。グラファイト層は、不利な動的条件下でも嵌め合せ部材に対するシールを維持することができる。したがって、本発明に従って製造したガスケットは、広範なデューティ範囲にわたって優れた封止能力を維持しつつ、使用時にガスケットにかけられる動的に変化する圧縮力および剪断力を吸収することができる。
【００１１】
本発明の別の局面によると、嵌め合せ部材同士の間で締付けられる種類の多層複合ガスケットを形成するための方法が提供される。当該方法は、第１のプリフォームシートを製作するステップを含み、当該ステップは、近位面および遠位面を有する穿孔コア層を設けるステップと、外側グラファイト層を設けるステップと、グラファイト層を穿孔コアの遠位面に機械的に噛み合せるステップと、紙層を設けるステップと、紙層を穿孔コアの近位面に機械的に噛み合せるステップとを含む。第１のプリフォームシートを製作するのに用いたのと同じステップに従って、第２のプリフォームシートを製作する。互いに向い合う側を有する中心コア層を設ける。第１のプリフォームシートの紙層を中心コアの一方側に接合させる一方で、第２のプリフォームシートの紙層を中心コアの反対側に接合させる。その結果、第１のプリフォームシートおよび第２のプリフォームシートの紙層が中心コアに直接接合された状態で、中心コアを第１のプリフォームシートと第２のプリフォームシートとの間に挟む。この方法によって、先行技術のガスケット設計に固有の欠点および欠陥を克服する多層複合ガスケットを製造することができる。
【図面の簡単な説明】
【００１２】
【図１】内燃機関におけるシリンダヘッドをブロックに封止する際に用いられ得るような、標準的な先行技術のガスケットを示す平面図である。
【図２】例示目的で、内燃機関における一般的な種類のシリンダヘッドおよびブロックを含み得る、２つの嵌め合せ部材同士の間で締付けられる先行技術のガスケットの部分図である。
【図３】図２に示す先行技術のガスケットの拡大断面部分図である。
【図４】本発明に係る多層複合ガスケットの、斜視的に示す部分断面図である。
【図５】図４のガスケットの多層構造を示す展開図である。
【図６】本発明のガスケットの拡大部分断面図である。
【図７】本発明に係る穿孔コア層の部分斜視図である。
【図８】グラファイト層および紙層を穿孔コアの両側に機械的に噛み合せることによって第１のプリフォームシートが製作される、本発明の製造プロセスにおける第１のステップを示す簡略化された概略図である。
【図８Ａ】図８の８Ａで示される第１のプリフォームシートの拡大図である。
【図９】第１のプリフォームシートおよび第２のプリフォームシートの中心コア層の両側への接合を示す、簡略化された概略図である。
【図９Ａ】図９の９Ａで示される領域の拡大図である。
【発明を実施するための形態】
【００１３】
好ましい実施例の詳細な説明
複数の図面全体にわたって同様の番号は同様または対応の部分を示す図面を参照して、本発明に係るガスケットが図４〜図６に全体的に１０で示される。ガスケット１０は、互いに向い合う側を有する、金属製の、好ましくは鋼の中心コア層１２を含む。好ましくは、中心コア１２は全体的に均一の厚みを有し、ガスケット１０全体にわたって連続的な途切れない障壁を確立するために、切れ目や凹凸を有さずに形成される。中心コア１２は、図９に示されるようにコイル３６上にロール形状で、またはシート形状で供給され得る。中心コア１２は、約０．１３〜約６．３５ミリメートルの範囲の厚みを有し得る。中心コア１２には、特定用途の仕様によって求められる場合は、粗い表面仕上げがなされる。
【００１４】
各々が全体的に１４で示される、１対の実質的に同一の穿孔金属コア層が中心コア１２の両側に配置される。穿孔コア１４は、好ましくは低炭素またはステンレス鋼からなるが、非金属組成さえも含む他の組成を適切な状況下で代わりに用いてもよい。穿孔コア１４は、１つの例示的な実施例では、約０．１５〜約０．３０ミリメートルの範囲の厚みを有する。おそらく図５〜図７に最もよく示されるように、穿孔コア１４の各々は近位面１６および遠位面１８を含む。いずれの場合も、近位面１６は中心コア１２の方を向く側であり、遠位面１８は中心コア１２から離れる方向を向く。複数の外向きタング２０が、各穿孔コア１４の遠位面１８から離れるように延在する。若干同様の態様で、複数の内向きタング２２が各穿孔コア１４の近位面１６から延在する。タング２０、２２は、ロール成形または他の種類の製造作業において、シート状のメンブレンまたは原料から一体的に曲げられたパンチタブまたは片の形状を取り得る。本発明の好ましい実施例では、タング２０、２２は、図８に示されるように、未加工のシート原料にパンチローラ２４のニップを通過させることによって同時に形成される。もちろん、他の成形技術も可能である。図７は、タング２０、２２が取る１つの例示的な形状を示す。ここでは、１つの内向きタング２２が各外向きタング２０に対向して、タング２２とタング２０が多少向かい合っているように見える。各タング２０、２２を穿孔コア１４のベース原材料から離れるように曲げることによって原材料に空隙または開口が形成されるため、その穿孔特徴を確定することができる。
【００１５】
実際は、外向きタング２０は内向きタング２２よりも長く、両タングは、等しいが反対の鋭角だけ、原料メンブレンの一般平面から離れるように曲げられている。もちろん、他の角度方向も可能であり、内向きタング２２は外向きタング２０と等しいが反対の角度だけ原料メンブレンの平面から離れるように曲げられていなくてもよい。換言すれば、外向きタング２０をコア１４の平面に対して直交に９０度に向けるのに対して、内向きタング２２を９０度よりも小さいある鋭角で曲げることが可能である。当業者であれば、タング２０、２２の形状、穿孔コア１４の空隙または開口に対するタング２０、２２の関係、タング２０、２２の相対的な数および間隔、ならびにタング２０、２２がそれぞれの近位面１６および遠位面１８から離れるように曲げられている角度について、多くの代替的な形態を想到するであろう。おそらく図６に最もよく示されるように、外向きタング２０の直交突起部、すなわち原料メンブレンの平面に対して垂直に測定される距離は、近位面１６からの内向きタング２２の直交突起部よりも大きい。したがって、タング２０、２２がそれぞれの遠位面１８および近位面１６から等しいが反対の角度だけ突き出ている図示される例では、外向きタング２０は、自身の直交突起部がより大きくなるようにより長く形成される。もちろん、タング２０、２２を等しい長さにしつつ、これらタングが穿孔コア１４の平面に対して曲げられる角度を変えることによって等しくない直交突起部を維持することも可能である。
【００１６】
各々が全体的に２６で示される１対の外側グラファイト層が、穿孔コア構造に関するヘッドガスケット構造の周知原理に従って設けられる。グラファイト層２６は、外向きタング２０を介してそれぞれの穿孔コア１４の遠位面１８に機械的に噛み合う。これは、シート形状のグラファイトを穿孔コア１４の遠位面１８に押付けて圧縮し、外向きタング２０がグラファイト材料に埋め込まれるようにすることによって達成され得る。図８に示されるように、これは、圧延シート形状のグラファイト材料を穿孔コア１４とともに、圧縮ローラセット２８のニップを通過させることによって達成され得る。この機械的噛み合せステップは、図８に示されるようにタング２０、２２の形成とともにインラインで達成され得るか、または別個の作業またはバッチ処理で達成され得る。グラファイト層２６の厚みはいくらか変更可能であるが、本発明の好ましい実施例では、各グラファイト層２６の厚みは、外向きタング２０の先端がそれぞれのグラファイト層２６の遠位外面を破壊していない図４および図６に示されるように、外向きタング２０の直交突起部と等しいか、直交突起部よりも若干大きい。しかし、当業者であれば、外向きタング２０の最も外側の先端がグラファイト層２６を貫通して示され得るいくつかの適用例も想到するであろう。
【００１７】
さらに、全体的に３０で示される１対の紙層がガスケット１０内に設けられる。ビーターシートとしても公知の紙層３０は、厚みおよび組成が互いに実質的に同一であり、図４〜図６に示されるように、各々が穿孔コア１４のうちのそれぞれの１つと中心コア１２との間に位置する。各紙層３０は、内向きタング２２によって、穿孔コア１４のうちの１つの近位面１６に機械的に噛み合う。各紙層３０には中心コア１２も取付けられる。したがって図面に示されるように、中心コア１２は２つの紙層３０同士の間に挟まれて見える。これらの紙層３０は、封止中の嵌め合せ部材同士の間の相対的な動きに起因する剪断応力を消散させるために、ガスケット１０の使用時に穿孔コア１４と中心コア１２との相対的な動的すべりを吸収する。場合によっては、紙層３０とそれらのそれぞれの穿孔コア１４との間に、たとえばニトリルフェノール組成物などの結合剤を用いて、ガスケット１０の製造および設置時にすべての層をまとめて保持することを補助することが望ましい場合がある。そのような場合、紙層３０は、接着剤が不活性化形態で予め塗布された状態で材料供給元から受取られるか、または接着剤は次の処理ステップで塗布されるかのいずれか一方である。
【００１８】
紙層３０の穿孔コア１４への機械的噛み合せは、紙層３０に同じ圧縮ローラセット２８を同時に通過させることによって、グラファイト層２６の機械的噛み合せと同時に達成され得る。図８Ａに示されるような結果的に得られる構成は、圧縮ローラセット２８によって仕様に従って高密度化される、および／またはサイズ決めされるプリフォームシート３２を表わす。プリフォームシート３２は、シートとして切断および回収されてもよいし、将来の処理のためにスプール３４に巻付けられてもよい。
【００１９】
内向きタング２２の直交突起部は、好ましくは紙層３０の厚みよりも小さいか厚みと等しいため、内向きタング２２の伸びた先端は紙層３０を完全に通過しない。換言すれば、図６に示されるように、内向きタング２２と中心コア１２との間に若干の間隔が残り得る。しかし、この仕様は、必要な用途および設計特徴に依存して変わることがある。同様に、紙層３０とグラファイト層２６の相対的な厚みは、図に示されるように紙層３０の方が薄くてもよいが、これもまた変更可能な仕様である。
【００２０】
図９は、それぞれのスプール３４上で搬送される第１および第２のプリフォームシート３２を用いた、多層複合ガスケット１０を形成するための方法を示す。中心コア１２用の未加工原料がコイル３６上で搬送される。接着材料が、実質的に等しい量で、中心コア１２の互いに向い合う側の両方に塗布されるか、または予め存在するかのいずれか一方である。接着剤は、ニトリルフェノール組成物を含むがこれに限定されない、いずれかの公知かつ好適な形態を取り得る。図示されるように、接着剤は、中心コア１２に予め塗布され、巻付コイル３６において休止状態の不活性な乾燥形態でそこに存在することになる。しかし、接着剤は代替的に、コア１２がコイル３６からほどかれる際に、ブラッシング、圧延、吹付けまたは他の適切な塗布技術によって、乾燥膜形態または懸濁状態で塗布されてもよいことが理解されるであろう。換言すれば、コイル３６は、接着剤が予め塗布された状態で材料供給元から受取られるか、または接着剤はコア原材料がコイル３６からほどかれた後のある時点でコア原材料の両側に塗布されるかのいずれか一方である。不活性接着剤を活性化する必要がある場合は、塗布された中心コア材料がヒータ４０を通過して、接着膜を溶融および／または活性化させる。１つの可能な変形例では、接着剤は、事前塗布または工程間塗布技術を用いて、コア１２ではなく紙層３０に直接塗布され得る。この変形例は、紙層３０の両側に接着剤を塗ることになっている場合に好ましい場合がある。
【００２１】
図９に示されるように、第１および第２のプリフォームシート３２は、溶融した接着剤が結合ローラセット４２のニップに存在する状態で、中心コア１２と接触する。プリフォームシート３２がスプール３４上で搬送される際の向きは、各々の紙層３０が中心コア１２に向けられ、それぞれのグラファイト層２６が外側を向いているようなものである。結合ローラ４２は次にこれらの層をまとめて圧縮することによって、材料を厚みおよび／または密度の最終仕様に成形する。完成したガスケット材料１０は結合ローラセット４２を出て、シートに切断されるか、図９に示されるようコイル４４上に保管され得るかのいずれか一方である。コイル４４に供給されるガスケット材料は、図９Ａに示されるもののように見える。
【００２２】
未加工のガスケット材料１０を完成ガスケットに変えるプロセスでは、切断、装飾またはさらなる作業が必要であり得る。たとえば、図４〜図６は、多層複合材料からなるヘッドガスケットの部分的な断面図を示す。この場合、慣例により、任意の燃焼室開口部の外周の周りにファイアリングホルダ４８によって覆われるファイアリング４６を設置することが必要であり、ファイアリングホルダ４８は、ヘッドガスケット用途において必要に応じて、その端縁がグラファイト層２６と重なり合って耐久性およびストッパ高さ調節を提供する。ガスケット材料１０の他の使用法を用いて、内燃機関におけるシリンダヘッドを封止することを意図しないガスケットを製作することが可能であり、したがってファイアリング４６およびホルダ４８は省略され得ることが認識され得るであろう。同様に、ガスケット１０を任意の好適な用途で用いることができるように、グロメットおよび他の特徴を含めてもよい。
【００２３】
穿孔コア１４と中心コア１２との間に紙層３０を導入することによって、紙層３０は、横方向の剪断荷重がガスケット１０の本体内に蓄積して最終的に流体漏れを引起さないように、すべり面を提供することができる。紙層３０と中心コア１２との間に塗布される接着剤の組成は、すべりが接着剤自体の内部で、接着剤と中心コア１２との界面で、紙層３０と穿孔コア１４との界面で、または紙層３０の本体の内部で起きてもよいようなものである。換言すれば、接着剤および／または紙層３０および／または界面の降伏強度は、剪断荷重が深刻なレベルに高まる前に屈するような強度である。
【００２４】
以上の発明は関連の法的基準に従って説明されたため、本説明は限定的ではなく例示的な性質のものである。開示された実施例に対する変形例および修正例が当業者にとって明らかになり得、本発明の範囲内に収まり得る。したがって、本発明に与えられる法的保護範囲は、以下の請求項を検討することによってのみ決定され得る。
【図１】
0005572639.tif 000002
【図２】
0005572639.tif 000003
【図３】
0005572639.tif 000004
【図４】
0005572639.tif 000005
【図５】
0005572639.tif 000006
【図６】
0005572639.tif 000007
【図７】
0005572639.tif 000008
【図８】
0005572639.tif 000009
【図８Ａ】
0005572639.tif 000010
【図９】
0005572639.tif 000011
【図９Ａ】
0005572639.tif 000012